【事件の表示】
　特願２０１４−５７９３０号「遊技機」拒絶査定不服審判事件〔平成２７年１０月２２日出願公開、特開２０１５−１８１５１２号〕について、次のとおり審決する。
【結　論】
　本件審判の請求は、成り立たない。
【理　由】
１　手続の経緯の概要
　本願は、平成２６年３月２０日の出願であって、平成２７年１０月２７日に手続補正書が提出され、平成２８年８月２９日付けで拒絶の理由が通知され、同年１０月２４日に意見書及び手続補正書が提出されたところ、平成２９年３月２３日付けで拒絶査定がなされ（発送日：同年３月２８日）、それに対し、平成２９年５月１７日に拒絶査定不服審判の請求がなされると同時に手続補正がなされたものである。
　そして、当審にて同年１１月２８日付けで拒絶理由を通知したところ、平成３０年１月２２日に意見書及び手続補正書が提出されたものである。
　
２　本願発明
　本願の請求項１〜３に係る発明は、平成３０年１月２２日付け手続補正書により補正された特許請求の範囲の請求項１〜３に記載されたとおりのものであるところ、その請求項１に係る発明（以下「本願発明」という。）は、次のとおりのものである。
　
「Ａ　可変表示を行い、遊技者にとって有利な有利状態に制御可能な遊技機であって、
Ｂ　可変表示に関する情報を保留記憶として記憶する保留記憶手段と、
Ｃ　前記保留記憶に対応する保留表示を行う保留表示手段と、
Ｄ　実行中の可変表示に対応する特定表示を行う特定表示手段と、
Ｅ　前記保留表示の表示態様を変化させる第１変化演出を実行する第１変化演出実行手段と、
Ｆ　前記特定表示の表示態様を変化させる第２変化演出を実行する第２変化演出実行手段とを備え、
Ｇ　所定態様の演出を実行した後に、前記第１変化演出または前記第２変化演出を実行する場合と、実行しない場合とがあり、
Ｈ　可変表示の態様は、仮停止した後に再度可変表示を実行する態様を含み、
Ｉ　前記第１変化演出が実行された後に表示される前記保留表示の表示態様は、前記第２変化演出が実行された後には表示されない特殊態様を含み、
Ｊ　前記第２変化演出が実行された後に表示される前記特定表示の表示態様は、再度可変表示が実行されることを、可変表示の実行中に報知する報知態様を含み、
Ｋ　１の前記第１変化演出を実行することにより複数の前記保留表示の表示態様を変化可能である、
　ことを特徴とする遊技機。」（Ａ〜Ｋは、当審にて分説して付与した。）
　
３　刊行物に記載された発明
　当審による拒絶理由において刊行物として提示された、本願の出願前に頒布された刊行物である特開２０１４−３６６８４号公報には、【図１６５】〜【図２１３】、【１０９３】〜【１５８５】に対応する他の実施の形態を中心に次の事項が記載されていると認められる。
　
　・記載事項
　ア　「【技術分野】
【０００１】
　本発明は、弾球遊技機（パチンコ機）や回胴遊技機（スロットマシン）に代表される遊技台に関する。
・・・
【発明が解決しようとする課題】
【０００４】
　しかしながら、従来の遊技台では、保留数の表示態様が単調なため、遊技者が図柄変動の保留数の変化に気付きにくい場合があったり、保留数や図柄変動に対する遊技者の興味が薄れてしまうといった問題点があった。
【０００５】
　本発明は、このような従来の問題点を解決するためになされたものであって、遊技台の興趣を向上させることができる遊技台を提供することを目的とする。」
　
　イ　「【１１０２】
　払出装置１５２の図中左側には、遊技全般の制御処理を行う主制御部３００を構成する主基板１５６を収納する主基板ケース１５８と、主制御部３００が生成した処理情報に基づいて演出に関する制御処理を行う第１副制御部４００を構成するとともにパチンコ機１００から出力される音量を遊技店員の操作によって調整するロータリー式の音量調整スイッチ１６１を備える第１副基板１６０を収納する第１副基板ケース１６２と、
第１副制御部４００が生成した処理情報に基づいて演出に関する制御処理を行う第２副制御部５００
　
　ウ　「【１１３８】
　図１６９（ａ）には、特図１の図柄変動停止表示における停止図柄態様として「特図Ａ」〜「特図Ｅ」の５種類の特図が示されている。図１６９（ａ）においては、図中の白抜きの部分が消灯するセグメントの場所を示し、黒塗りの部分が点灯するセグメントの場所を示している。
「特図Ａ」は１５ラウンド（１５Ｒ）特別大当り図柄であり、「特図Ｂ」は１５Ｒ大当り図柄である
「特図Ａ」および「特図Ｂ」は、遊技者に対する有利度が相対的に大きくなる図柄である。
　
　エ　「【１１４２】
　図１６９（ｃ）は装飾柄の一例を示したものである。本実施形態の装飾図柄には、「装飾１」〜「装飾１０」の１０種類がある。特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、
装飾図柄表示装置２０８
装飾図柄の変動表示
を行う。
【１１４３】
　そして、
「特図Ａ」の１５Ｒ特別大当り、「特図Ｂ」の１５Ｒ大当り、
を報知する場合には、
同じ装飾図柄が３つ並んだ図柄組合せ
を停止表示する。
　
　オ　「【１２７４】
　また本例では、保留が消化されて
特図変動遊技が開始された後に、当該特図変動遊技に対応する１つの変動アイコンが表示される場合がある。
　
　カ　「＜変動アイコン表示制御処理＞
【１３０１】
　
図１８６は、変動アイコン表示制御処理の流れの一例を示すフローチャートである。
・・・
【１３１２】
　ステップＳ１３２１では、変動アイコン変更アニメーション４表示処理（後述する図１９１に示すアイコン変更アニメ４の項目に従って変動アイコンを変更するアニメーションを表示する処理）を行った後にステップＳ１３２３に進み、ステップＳ１３２２では、
変動アイコン変更アニメーション１表示処理
または、変動アイコン変更アニメーション２表示処理
を行った
・・・
【１３１６】
　なお、
変動アイコンは、全ての特図変動遊技中に表示されるようにしてもよい
・・・　
【１３２４】
　上述の通り、本例の保留アイコンの表示態様には、「白」、「青」、「赤」、「箱」、「千両箱」の５種類がある。変動アイコンの表示態様には、「白」、「青」、「赤」、「金」、「煙」、「酒」、「刀」、「家紋」の８種類がある。これらのうち、「白」、「青」、「赤」の３種類は、保留アイコンと変動アイコンとで共通の表示態様である。
「箱」、「千両箱」の２種類は、保留アイコンに固有の表示態様であり、「
　
　キ　「＜アイコン変更アニメーション＞
【１３２６】
　図１９１は、アイコン変更アニメの実行契機、実行確率、アイコン表示態様変更、表示態様の一例を示した図である。ここで、
アイコン変更アニメーションとは、第一の表示態様のアイコンを第二の表示態様のアイコンに変更するために行われるアニメーションを意味している
アイコン変更アニメーションには、
保留アイコン変更アニメーションや、
変動アイコン変更アニメーションなどが含まれる。
【１３２７】
　また、第一の表示態様の保留アイコン（例えば、表示態様：白）を第二の表示態様の変動アイコン（例えば、表示態様：青）に変更するために行われる変更アニメーションなどが含まれる。また、アイコン変更アニメーションは、アイコンの表示態様を第一から第二の表示態様へ変えるものと、第三から第四の表示態様へ変えるものとが共通の態様であっても良い。更にその逆に、第一から第二の表示態様へ変えるものと、第三から第四の表示態様へ変えるものを個別に設定していても良い。また、
変更アニメーションが行われたからといって、保留アイコンの表示態様を必ず変化させる必要はなく
・・・　
【１３４２】
　上述のとおり、
第２副制御部５００は、
保留アイコン表示制御処理において、保留アイコン変更条件が成立し
場合には、保留アイコン変動アニメーション３
保留アイコン変動アニメーション１
または保留アイコン変動アニメーション２
を表示する。
・・・
【１３６６】
　同図（ｄ）〜（ｅ）のタイミングでは、アイコン変更アニメ４の（表示態様１：導入）に従って、殿のキャラクターが保留アイコン表示領域９００の直上から落下するアニメーションを行っている。続いて、同図（ｅ）〜（ｆ）のタイミングでは、アイコン変更アニメ４の（表示態様２：煽り）に従って、全ての保留アイコン９０２〜９０４を視認困難にする煙を表示するアニメーションを行っている。つまり、
アイコン変更アニメ４は、複数の保留アイコンに対し、表示態様が変更される可能性のあるアニメを行なう
保留アイコンを隠すエフェクト
煙の表示
　
　ク　「【１５４２】
　また、電断・復電に限らず、例えば、大当りやＳＴ終了等による遊技状態の変更があった場合にも所定の回数保留アイコンおよび変動アイコンを予め定められた態様で表示するようにしていてもよい。また、
擬似連が行われる度に変動アイコンの消去と復帰を繰り返し複数回行ってもよい。
・・・　
【１５４５】
　また、本実施の形態による
遊技台は、所定の保留記憶条件が成立した場合には、所定の始動情報を保留として少なくとも記憶可能な保留記憶手段
と、所定の保留表示条件が成立した場合には、一の前記保留に対応する一の保留アイコンを
表示可能な保留表示手段（例えば、装飾図柄表示装置２０８、保留アイコン表示領域９００、第１副制御部４００、第２副制御部５００）と、を備え、
・・・
【１５７５】
　また、本実施の形態による遊技台において、所定の予告条件が成立した場合には、予告を少なくとも開始可能な
予告手段（例えば、装飾図柄表示装置２０８、変動アイコン表示領域８００
、第１副制御部４００、第２副制御部５００）を備え、
所定の変動アイコンを
表示可能なものであり
　
　・認定事項
　ケ　【１１０２】に「第１副制御部４００が生成した処理情報に基づいて演出に関する制御処理を行う第２副制御部５００・・・」と記載され、
　【１３０１】に「図１８６は、変動アイコン表示制御処理の流れの一例を示すフローチャートである。」と記載され、
　【１３１２】に「変動アイコン変更アニメーション１表示処理・・・または、変動アイコン変更アニメーション２表示処理・・・を行った」と記載され、
　【１３１６】に「変動アイコンは、全ての特図変動遊技中に表示されるようにしてもよい・・・」と記載され、
　アイコン変更アニメの実行契機、実行確率、アイコン表示態様変更、表示態様の一例を示した図である【図１９１】には、変動アイコン変更アニメーション１〜４に「アイコンの表示態様を変更」する内容を含むことが図示されている。
　したがって、刊行物１には、
変動アイコン表示制御処理において、変動アイコン変更条件が成立した場合に、アイコンの表示態様を変更する内容の変動アイコン変更アニメーション表示処理を行う第２副制御部５００
　
　コ　アイコン変更アニメの実行契機、実行確率、アイコン表示態様変更、表示態様の一例を示した図である【図１９１】には、変動アイコン変更アニメーション１〜４に、「キャラクターがアイコンの直上から落下する内容」、「キャラクターがアイコンの直上から落下後、アイコンの上でジャンプする内容」、若しくは、「キャラクターがアイコン表示領域の直上から落下後、全アイコンを視認困難にする煙を表示する内容」を含むことが図示されている。
　したがって、刊行物１には、
アイコン変更アニメーションには、「キャラクターがアイコンの直上から落下する内容」、「キャラクターがアイコンの直上から落下後、アイコンの上でジャンプする内容」、若しくは、「キャラクターがアイコン表示領域の直上から落下後、全アイコンを視認困難にする煙を表示する内容」を含むこと
　
　サ　上記ア〜クの記載事項、及び、上記ケ〜コの認定事項を踏まえると、刊行物には、次の発明（以下「刊行物発明」という。）が記載されているものと認められる（ａ〜ｋは、本願発明のＡ〜Ｋに対応させて付与した。）。
　
「ａ　装飾図柄表示装置２０８により装飾図柄の変動表示を行い（【１１４２】）、遊技者に対する有利度が相対的に大きくなる１５Ｒ特別大当り、１５Ｒ大当りに対応する同じ装飾図柄が３つ並んだ図柄組合せを停止表示する（【１１３８】、【１１４３】）遊技台であって（【１５４５】）、
　
ｂ　所定の保留記憶条件が成立した場合には、所定の始動情報を保留として少なくとも記憶可能な保留記憶手段（【１５４５】）と、
　
ｃ　所定の保留表示条件が成立した場合には、一の保留に対応する一の保留アイコンを表示可能な保留表示手段（例えば、装飾図柄表示装置２０８、保留アイコン表示領域９００、第１副制御部４００、第２副制御部５００）（【１５４５】）と、
　
ｄ　特図変動遊技中に、当該特図変動遊技に対応する１つの変動アイコンを表示可能な予告手段（例えば、装飾図柄表示装置２０８、変動アイコン表示領域８００、第１副制御部４００、第２副制御部５００）（【１２７４】、【１３１６】、【１５７５】）と、
　
ｅ　保留アイコン表示制御処理において、保留アイコン変更条件が成立した場合に、保留アイコン変動アニメーションとしての「アイコンの態様を変更」する表示態様の表示を行う第２副制御部５００（【１３４２】、【図１９１】）と、
　
ｆ　変動アイコン表示制御処理において、変動アイコン変更条件が成立した場合に、アイコンの表示態様を変更する内容の変動アイコン変更アニメーション表示処理を行う第２副制御部５００（認定ケ）と、
　
ｇ　アイコン変更アニメーションには、「キャラクターがアイコンの直上から落下する内容」、「キャラクターがアイコンの直上から落下後、アイコンの上でジャンプする内容」、若しくは、「キャラクターがアイコン表示領域の直上から落下後、全アイコンを視認困難にする煙を表示する内容」を含み（認定コ）、
　アイコン変更アニメーションには、保留アイコン変更アニメーションや、変動アイコン変更アニメーションなどが含まれ（【１３２６】）、
　変更アニメーションが行われたからといって、保留アイコンの表示態様を必ず変化させる必要はなく（【１３２７】）、
　
ｈ、ｊ　擬似連が行われる度に変動アイコンの消去と復帰を繰り返し複数回行ってもよく（【１５４２】）、
　
ｉ　保留アイコンに固有の表示態様には、「箱」、「千両箱」の２種類があり（【１３２４】）、
　
ｋ　アイコン変更アニメ４は、保留アイコンを隠すエフェクト（煙の表示）を行うことにより、複数の保留アイコンに対し、表示態様が変更される可能性のあることを示すアニメである（【１３６６】）、
遊技台。」
　
４　対比
　本願発明と刊行物発明とを対比する。
（ａ）刊行物発明における「装飾図柄表示装置２０８により装飾図柄の変動表示を行」うこと、「遊技台」は、それぞれ、本願発明における「可変表示を行」うこと、「遊技機」に相当する。
　そして、刊行物発明において、「１５Ｒ特別大当り、１５Ｒ大当りに対応する同じ装飾図柄が３つ並んだ図柄組合せを停止表示する」と、遊技状態が「１５Ｒ特別大当り」、または、「１５Ｒ大当り」である遊技状態に制御されることは当業者にとって明らかである。
　そうすると、刊行物発明における「１５Ｒ特別大当り、１５Ｒ大当りに対応する同じ装飾図柄が３つ並んだ図柄組合せを停止表示する」ことは、本願発明における「遊技者にとって有利な有利状態に制御可能な」ことに相当する。
　したがって、刊行物発明における構成ａは、本願発明における構成Ａに相当する。
　
（ｂ）刊行物発明における「所定の始動情報」、「保留として少なくとも記憶可能な」ことは、それぞれ、本願発明における「可変表示に関する情報」、「保留記憶として記憶する」ことに相当する。
　したがって、刊行物発明における「保留記憶手段」は、本願発明における「保留記憶手段」に相当する。
　
（ｃ）刊行物発明における「一の保留に対応する」こと、「一の保留アイコンを表示可能な」ことは、それぞれ、本願発明における「保留記憶に対応する」こと、「保留表示を行う」ことに相当する。
　したがって、刊行物発明における「保留表示手段（例えば、装飾図柄表示装置２０８、保留アイコン表示領域９００、第１副制御部４００、第２副制御部５００）」は、本願発明における「保留表示手段」に相当する。
　
（ｄ）刊行物発明における「特図変動遊技中に、当該特図変動遊技に対応する１つの変動アイコン」は、本願発明における「実行中の可変表示に対応する特定表示」に相当する。
　したがって、刊行物発明における「予告手段（例えば、装飾図柄表示装置２０８、変動アイコン表示領域８００、第１副制御部４００、第２副制御部５００）」は、本願発明における「特定表示手段」に相当する。
　
（ｅ）刊行物発明における「保留アイコン変動アニメーションとしての「アイコンの態様を変更」する表示態様」は、本願発明における「保留表示の表示態様を変化させる第１変化演出」に相当する。
　したがって、刊行物発明における「第２副制御部５００」は、本願発明における「第１変化演出実行手段」としての機能を有する。
　
（ｆ）刊行物発明における「アイコンの表示態様を変更する内容の変動アイコン変更アニメーション表示処理」は、本願発明における「特定表示の表示態様を変化させる第２変化演出」に相当する。
　したがって、刊行物発明における「第２副制御部５００」は、本願発明における「第２変化演出実行手段」としての機能を有する。
　
（ｇ）刊行物発明における「キャラクターがアイコンの直上から落下する内容」の「アイコン変更アニメーション」、「キャラクターがアイコンの直上から落下後、アイコンの上でジャンプする内容」の「アイコン変更アニメーション」、「キャラクターがアイコン表示領域の直上から落下後、全アイコンを視認困難にする煙を表示する内容」の「アイコン変更アニメーション」は、本願発明における「所定態様の演出」に相当する。
　そして、刊行物発明における「アイコン変更アニメーションには、保留アイコン変更アニメーションや、変動アイコン変更アニメーションなどが含まれ、変更アニメーションが行われたからといって、保留アイコンの表示態様を必ず変化させる必要はな」いことは、「キャラクターがアイコンの直上から落下する内容」、「キャラクターがアイコンの直上から落下後、アイコンの上でジャンプする内容」、若しくは、「キャラクターがアイコン表示領域の直上から落下後、全アイコンを視認困難にする煙を表示する内容」のアイコン変更アニメーションが行われたとしても、アイコンの表示態様が変化する場合と変化しない場合のあることを意味するものである。
　したがって、刊行物発明における構成ｇは、本願発明における「所定態様の演出を実行した後に、第１変化演出または第２変化演出を実行する場合と、実行しない場合とがあ」ることに相当する。
　
（ｈ）刊行物発明における「擬似連」が、変動表示中に装飾図柄の仮停止と再度可変表示とを所定回行う遊技であることは、当業者において自明である。
　したがって、刊行物発明における構成ｈの「擬似連が行われる」ことは、本願発明における構成Ｈの「可変表示の態様は、仮停止した後に再度可変表示を実行する態様を含」むことに相当する。
　
（ｉ）刊行物発明における「保留アイコンに固有の表示態様には、「箱」、「千両箱」の２種類があ」ることは、変更される前後の保留アイコンの態様に、変更された変動アイコンの態様にない「箱」、「千両箱」の２種類の固有の態様があることを意味する。
　そうすると、刊行物発明における「「箱」、「千両箱」の２種類」の「固有の表示態様」は、本願発明における「第２変化演出が実行された後には表示されない特殊態様」に相当する。
　したがって、刊行物発明における構成ｉは、本願発明における構成Ｉの「第１変化演出が実行された後に表示される保留表示の表示態様は、第２変化演出が実行された後には表示されない特殊態様を含」むことに相当する。
　
（ｋ）刊行物発明における「保留アイコンを隠すエフェクト（煙の表示）」は、構成ｇにおける「キャラクターがアイコン表示領域の直上から落下後、全アイコンを視認困難にする煙を表示する内容」の「アイコン変更アニメーション」に対応するものであり、「アイコン変更アニメーション」のうちの保留アイコン変更アニメーションに関する演出であるから、本願発明における「１の第１変化演出」に相当する。
　そして、刊行物発明における「複数の保留アイコンに対し、表示態様が変更される可能性のあることを示す」ことは、本願発明における「複数の保留表示の表示態様を変化可能である」ことに相当する。
　したがって、刊行物発明における構成ｋは、本願発明における構成Ｋに相当する。
　
　上記（ａ）〜（ｋ）における対比から、本願発明と刊行物発明とは、
「Ａ　可変表示を行い、遊技者にとって有利な有利状態に制御可能な遊技機であって、
Ｂ　可変表示に関する情報を保留記憶として記憶する保留記憶手段と、
Ｃ　前記保留記憶に対応する保留表示を行う保留表示手段と、
Ｄ　実行中の可変表示に対応する特定表示を行う特定表示手段と、
Ｅ　前記保留表示の表示態様を変化させる第１変化演出を実行する第１変化演出実行手段と、
Ｆ　前記特定表示の表示態様を変化させる第２変化演出を実行する第２変化演出実行手段とを備え、
Ｇ　所定態様の演出を実行した後に、前記第１変化演出または前記第２変化演出を実行する場合と、実行しない場合とがあり、
Ｈ　可変表示の態様は、仮停止した後に再度可変表示を実行する態様を含み、
Ｉ　前記第１変化演出が実行された後に表示される前記保留表示の表示態様は、前記第２変化演出が実行された後には表示されない特殊態様を含み、
Ｋ　１の前記第１変化演出を実行することにより複数の前記保留表示の表示態様を変化可能である
　遊技機。」
　の点で一致し、構成Ｊに関し、次の点で相違する。
　
［相違点］（構成Ｊについて）
　特定表示の表示態様に関して、
　本願発明は、第２変化演出が実行された後に表示される特定表示の表示態様は、再度可変表示が実行されることを、可変表示の実行中に報知する報知態様を含むのに対して、
　刊行物発明は、そのような構成を備えるか否か明らかでない点。
　
５　当審の判断
（１）相違点について
　上記相違点について検討する。
　遊技機の技術分野において、実行中の可変表示に対応する特定表示を行う特定表示手段を備え、当該可変表示の実行中に特定表示の表示態様を、再度可変表示が実行されることを報知する表示態様に変化させることは、本願出願前に周知の技術事項である（例えば、特開２０１３−２５２４５６号公報には、「従来の遊技機では、当該変動の開始前に保留画像の表示態様が変化するものであり、変動開始直前に保留画像が変化しなければ遊技者は期待感を持つことができず、遊技者の期待感を高めるという点においては改善の余地があった。」（【０００４】）ため、「本発明は、かかる問題に鑑みてなされたものであり、効果的な予告演出を行うことが可能な遊技機を提供すること」（【０００５】）を目的とし、「擬似変動中に当該保留アイコン５２０自体の色が変化するとともに・・・「ＮＥＸＴ」サブアイコン５３が当該保留アイコン５２０に付加されることで、当該保留アイコン５２０を変化させてもよい。」（【０１１６】）ことが記載され、
　特開２０１１−１７１号公報には、「近年では、始動記憶に対応付けられた大当たり抽選の結果や変動パターンを先読みし、その始動記憶（保留玉）に係る変動表示ゲームにおいて大当たりとなる可能性等を示唆する先読み予告を実行可能なパチンコ遊技機が提案されている・・・。以下において、飾り特図始動記憶表示（保留玉の表示）による先読み予告を先読み予告表示と呼び、連続する複数ゲームにわたって実行される演出からなる先読み予告を先読み予告演出又は本物連続予告演出（以下、本連予告演出）と呼ぶ。」（【０００３】）ことが記載され、「先読み予告（先読み予告表示、本連予告演出）と疑似連予告演出を関連させて演出表示を多様化することにより、遊技の興趣性を格段に向上できる遊技機を提供すること」（【０００７】）を目的とし、「図１８（ｃ）に示すように、飾り特図始動記憶表示５３から☆が１つとび出し、画面内で流れ星の演出表示がなされ、疑似１連目の特図１変動表示ゲームが開始されるとともに、飾り特図始動記憶表示５３の☆マークは１減算されて２つとなる。つまり、飾り特図始動記憶表示５３に表示されている☆マークの数は、残り何回疑似連が継続されるかを示している。図１８（ｄ）に示すように、疑似１連目の特図１変動表示ゲームではハズレ結果態様（図１８（ｄ）では「３３４」）が導出され、変動表示が一旦停止される。その後、図１８（ｅ）に示すように、飾り特図始動記憶表示５３から☆が１つとび出し、画面内で流れ星の演出表示がなされ、疑似２連目の特図１変動表示ゲームが開始されるとともに、飾り特図始動記憶表示５３の☆マークは１減算されて１つとなる（残り疑似連数１）。遊技機１００では、このような疑似連予告演出が実行される。」（【０１２６】）ことが記載されている。）。
　そして、刊行物発明と上記周知の技術事項とは、実行中の可変表示に対応する特定表示を行う特定表示手段を備え、擬似連を伴う可変表示の実行中に特定表示の表示態様を変化させる点で共通する。
　また、刊行物発明と上記周知の技術事項とは、保留表示予告に対する遊技者の興趣を向上させるという同一の課題を解決するものである。
　したがって、刊行物発明の擬似連が行われる可変表示中の変動アイコン（「特定表示」）に、上記周知の技術事項を適用して、変動アイコンの変更後の表示態様を再度可変表示が実行されることを報知する表示態様に変化させ、上記相違点に係る本願発明の構成Ｊを備えることは、当業者が容易になし得たものである。
　
（２）請求人の主張について
　平成３０年１月２２日付け意見書における請求人の構成Ｊに関する「刊行物１に記載された発明では、変動アイコン表示領域２０８ｚから変動アイコンを消去して第２変動アイコン表示領域２０８ｔに表示する処理を行うのが、疑似変動の仮停止の開始から所定時間が経過した状態なので、疑似変動が実行されることに対する遊技者の興味を持続させることが、困難になるおそれがあるという問題が生じます。
　加えて、刊行物１に記載された発明では、変動アイコン表示領域２０８ｚから消去した変動アイコンを第２変動アイコン表示領域２０８ｔに表示するだけなので、疑似変動が実行されることに対する遊技者の興味を向上させることが、困難になるおそれがあるという問題が生じます。
　これに対し、本願の請求項１、２に係る発明では、再度可変表示が実行されることを、報知態様により可変表示の実行中に報知するので、このような報知が行われてから仮停止した後に再度可変表示が実行されるようになることで、再度可変表示が実行される期待感を持続させるように作用します。
　また、本願の請求項１、２に係る発明では、第２変化演出が実行された後に表示される特定表示の表示態様として、再度可変表示が実行されることを、可変表示の実行中に報知する報知態様が含まれるので、特定表示に対する遊技者の注目を高めることで、再度可変表示が実行される期待感を向上させるように作用します。
　本願の請求項１、２に係る発明は、こうした特定表示の表示態様が報知態様となることから得られる相乗的な作用により、再度可変表示が実行されることに対する遊技者の興味を持続させるとともに向上させ、上記の各問題を解決することができるという点において、刊行物１に記載された発明と比較した有利な効果が得られます。」（第３頁第１２〜３１行）との主張について検討する。
　
　本願発明の構成Ｊ、すなわち、実行中の可変表示に対応する特定表示を行う特定表示手段を備え、当該可変表示の実行中に特定表示の表示態様を、再度可変表示が実行されることを報知する表示態様に変化させることは、本願出願前に周知の技術事項である（上記周知の技術事項を参照。）。
　そして、刊行物発明に上記周知の技術事項を適用し、刊行物発明において本願発明の構成Ｊに係る構成を備えることが当業者が容易になし得たことであることは、上記において検討したとおりである。
　また、刊行物発明と上記周知の技術事項とが、保留表示予告に対する遊技者の興趣を向上させるという同一の課題を解決するものであり、刊行物発明に上記周知の技術事項を適用したものが、請求人が主張する本願発明が奏する効果、すなわち、「再度可変表示が実行されることに対する遊技者の興味を持続させるとともに向上させ」るという効果を奏することは明らかである。
　
　ところで、請求人は、刊行物１に関して、本審決が刊行物発明を認定した際に引用した実施の形態と異なる実施の形態（【０９５３】〜【０９７３】、【図１６２】〜【図１６３】）を引用して、当該異なる引用箇所に示された実施の形態が本願発明の構成Ｊと異なる旨主張するが、そもそも、平成２９年１１月２８日付け当審拒絶理由においては、刊行物１として、本審決における刊行物発明の認定の根拠とした箇所と同様の箇所を摘記するものであるから、請求人の上記主張は上記当審拒絶理由を回避する主張とはならない。
　仮に、請求人の主張する箇所を考慮しても、刊行物１の【０９６３】には、「当該変動アイコンＶＩ１を第２変動アイコン表示領域２０８ｔに表示する際にさらに変動アイコンＶＩ１の表示態様を変化させてもよい。また、変動アイコンＶＩ１を変動アイコン表示領域２０８ｚから第２変動アイコン表示領域２０８ｔに移動する移動アニメーションを行ってもよい。また、変動アイコンＶＩ１が移動する際に他の表示（保留アイコン、他の変動アイコン、装飾図柄、特図演出、普図演出、予告演出、キャラクタ演出）の少なくとも一部を隠してもよいし、他の表示に変動アイコンＶＩ１の少なくとも一部が隠されてもよい。」こと、すなわち、変動アイコンＶＩ１を第２変動アイコン表示領域２０８ｔに表示する際にさらに変動アイコンＶＩ１の表示態様を変化させることが記載されている。そうすると、変動アイコンＶＩ１の表示態様を変化することにより遊技者が演出によって興趣が向上されることは明らかであり、請求人の上記刊行物１に関する主張のうち、「変動アイコン表示領域２０８ｚから消去した変動アイコンを第２変動アイコン表示領域２０８ｔに表示するだけなので、疑似変動が実行されることに対する遊技者の興味を向上させることが、困難になるおそれがある」なる主張は誤りである。
　
　したがって、上記請求人の主張を採用することはできない。
　
（３）小括
　本願発明により奏される効果は、当業者が、刊行物発明及び上記周知の技術事項から予測し得る効果の範囲内のものであって、格別のものではない。
　よって、本願発明は、刊行物発明及び周知の技術事項に基いて、当業者が容易に発明をすることができたものである。
　
６　むすび
　以上のとおりであるから、本願発明は、特許法第２９条第２項の規定により特許を受けることができない。
　したがって、その余の請求項について検討するまでもなく、本願は拒絶すべきものである。
　よって、結論のとおり審決する。